(57)【要約】【課題】      単一のカラー光沢金属調とは異なる斬新な色調を有する加飾成形体、その中でも特に加飾された押釦スイッチ用キートップを得ること。【解決手段】  透明な樹脂成形体１４における外部から視認される表面１４ａ側に第一金属層１５を、裏面１４ｂ側に第二金属層１６を形成した加飾成形体１２とし、第一金属層１５の可視光線反射率を５５％〜９０％、第二金属層１６の可視光線反射率を５５％〜１００％、透明な樹脂成形体１４を含み第一金属層１５と第二金属層１６との間に形成された透明層の層厚を０．２ｍｍ〜５０ｍｍとした。そのため、鏡面感のある光沢金属調を基調としながら立体的な像を視認させる全く新しい視認性をもつ加飾成形体１２である。【選択図】    図２
2005259499.tif 000002
【特許請求の範囲】
【請求項１】
透明な樹脂成形体における外部から視認される表面側に第一金属層を、裏面側に第二金属層を形成した加飾成形体であって、
第一金属層の可視光線反射率が５５％〜９０％であり、第二金属層の可視光線反射率が５５％〜１００％であり、該透明な樹脂成形体を含み第一金属層と第二金属層との間に形成された透明層の層厚が０．２ｍｍ〜５０ｍｍである加飾成形体。
【請求項２】
視認される側から、可視光線反射率が５５％〜９０％の第一金属層、層厚が０．２ｍｍ〜５０ｍｍの透明層、可視光線反射率が５５％〜１００％の第二金属層の順に積層された加飾層を成形体に有する加飾成形体。
【請求項３】
成形体が透明であり、加飾層が該成形体の裏面に形成されている請求項２記載の加飾成形体。
【請求項４】
加飾層が成形体の表面に形成されている請求項２記載の加飾成形体。
【請求項５】
成形体が押釦スイッチ用のキートップである請求項１〜請求項４何れか１項記載の加飾成形体。
【請求項６】
文字や記号等を表す透明な表示部及び文字や記号等を抜き文字状に表し表示部とは色彩が異なる透明な抜き文字表示部が、第二金属層よりも視認される側にさらに形成されている請求項１〜請求項５何れか１項記載の加飾成形体。
【発明の詳細な説明】
【技術分野】
【０００１】
本発明は、携帯電話機、携帯情報端末機、各種家電製品用リモコンやカードリモコンおよび各種キーボードの操作部や、電子機器の筐体などに用いる加飾成形体に関し、その中でも、特に押釦スイッチ用キートップに関する。
【背景技術】
【０００２】
近年、電子機器は多機能化と共にデザインの多様化が生じてきている。特に、ビジネスユースだけでなく、パーソナルユースとして普及してきた図９に示すような携帯電話機１においては、通話機能、メール機能、撮影機能などのさまざまな機能を搭載させた多機能化だけでなく、他機種との差別化を図るデザインの多様化が進行し、このデザインの多様化という観点からも新製品開発に向けた競争が激しい。
【０００３】
その中にあって、携帯電話機１の表面の一部を形成する押釦スイッチ用キートップ２においても、他機種との差別化を図るデザイン競争が生じている。そして、最近のキートップ２のデザインは、多彩な色の筐体１ａに合わせた金属調やパール調、明色の加飾を施した色調のものが好まれる傾向にあり、主に高分子材料を用いたキートップ本体の表面にこのような色調を有する加飾層を表面加工して形成している。
【０００４】
加飾層の形成は、例えば、キートップ２の表面にスクリーン印刷や吹き付け塗装によって金属粉末を含む塗料を塗布する方法や、無電解法や電解法による湿式メッキによってニッケルやクロム等の金属層を設ける方法（特許文献１参照）、さらに、キートップ２の表面に真空蒸着法やスパッタリング法等の乾式メッキによってアルミニウムやクロム等の金属層を設ける方法（特許文献２参照）などが知られている。
【０００５】
そして、これらの方法を応用して、例えば、湿式メッキや乾式メッキにより、キートップに鏡面感、すなわち光沢のある金属調の加飾を施し、さらに、これらの層の表面に有色透明な樹脂層などを設けて、光沢のある金属調にさらに種々のカラーを付加したカラー光沢金属調ともいうべき色調の加飾層を形成するなどしてデザインの多様化に対応している。
【特許文献１】特開２００３−７７３５８号公報
【特許文献２】特開平０７−２４５１９０号公報
【発明の開示】
【発明が解決しようとする課題】
【０００６】
しかしながら、金属粉末を含む塗料を塗布する方法では鏡面感のある金属調を得ることが難しく、乾式メッキや湿式メッキにより加飾する方法にあっては、鏡面感のある金属調の色調が得られても単一の色調しか得られなかった。また、メッキ層の表面にさらに種々の色彩を有する有色透明層を形成しても、単一のカラー光沢金属調を呈する色調しか得られていなかった。
【０００７】
そこで本発明は、さらに改良されたデザインを具現化すべく、斬新な視認性を有するキートップを得ることを目的としてなされたものである。
【０００８】
そして、このデザインの多様化の問題は、携帯電話機１の外観を構成するキートップ２だけでなく、電子機器の外装部材として、社名のロゴタイプや機種名が表示されて筐体に貼り付けられるバッジ状の加飾樹脂成形体や、電子機器の外枠となる樹脂製の筐体自体など、製品の外部に表れデザインの対象となるような種々の成形体、即ち加飾を必要とする成形体についても生じている問題であるため、さらに改良されたデザイン性を付与すべく、斬新な視認性を有する加飾が施された成形体（以下「加飾成形体」という）を得ることをも目的とするものである。
【課題を解決するための手段】
【０００９】
そこで、本発明は、透明な樹脂成形体における外部から視認される表面側に第一金属層を、裏面側に第二金属層を形成した加飾成形体であって、第一金属層の可視光線反射率が５５％〜９０％であり、第二金属層の可視光線反射率が５５％〜１００％であり、該透明な樹脂成形体を含み第一金属層と第二金属層との間に形成された透明層の層厚が０．２ｍｍ〜５０ｍｍである加飾成形体を提供する。
【００１０】
透明な樹脂成形体における外部から視認される表面側に第一金属層を、裏面側に第二金属層を形成した加飾成形体であって、第一金属層の可視光線反射率が５５％〜９０％であり、第二金属層の可視光線反射率が５５％〜１００％であり、該透明な樹脂成形体を含み第一金属層と第二金属層との間に形成された透明層の層厚が０．２ｍｍ〜５０ｍｍであることとしたため、外部から第一金属層に入射した光が樹脂成形体などの透明層を透過し、第一金属層と第二金属層との間で何回も反射を繰り返すとともに、その一部は第一金属層を透過して外部に逃げることになる。そのため、向かい合わせに置かれた鏡の間に映る像のように、加飾成形体を視認する奥行き方向に、同一形状の像が複数重なった立体的な像を視認させることができる。そして、この像の数は加飾成形体を視認する角度によって変わる変化に富んだ像となる。したがって、鏡面感のある光沢金属調を基調にしながら、立体的かつ幻像的な像を生じる加飾成形体となり、斬新な視認性を有しデザインに優れた加飾成形体を得ることができる。さらにこの加飾成形体は、樹脂成形体の表面側と裏面側にそれぞれ第一金属層と第二金属層とを設けることにより、樹脂成形体自体の厚みを活かしたまま、樹脂成形体に加飾を施すことができる。そのため、加飾成形体全体の厚さを薄く保つことが可能である。
【００１１】
また、本発明は、視認される側から、可視光線反射率が５５％〜９０％の第一金属層、層厚が０．２ｍｍ〜５０ｍｍの透明層、可視光線反射率が５５％〜１００％の第二金属層の順に積層された加飾層を成形体に有する加飾成形体を提供する。
【００１２】
視認される側から、可視光線反射率が５５％〜９０％の第一金属層、層厚が０．２ｍｍ〜５０ｍｍの透明層、可視光線反射率が５５％〜１００％の第二金属層の順に積層された加飾層を成形体に有することとしたため、外部から第一金属層に入射した光が透明層を透過し、第一金属層と第二金属層との間で何回も反射を繰り返すとともに、その一部は第一金属層を透過して外部に逃げることになる。そのため、向かい合わせに置かれた鏡の間に映る像のように、加飾成形体を視認する奥行き方向に、同一形状の像が複数重なった立体的な像を視認させることができる。そして、この像の数は加飾成形体を視認する角度によって変わる変化に富んだ像となる。したがって、鏡面感のある光沢金属調を基調にしながら、立体的かつ幻像的な像を生じる加飾成形体となり、斬新な視認性を有しデザインに優れた加飾成形体を得ることができる。さらにこの加飾成形体は、所定の加飾層を成形体に有するため、加飾層を成形体とは別に形成しておくことで、種々の種類の成形体に対して斬新な加飾を簡単に施すことができ、安価な加飾成形体とすることができる。
【００１３】
そして本発明では、所定の加飾層を成形体の表面や裏面、場合によっては内部に形成したものとすることができる。そのため、製法上の都合やデザインの要求などの所望の条件によって加飾層を設ける箇所を自由に選択することが可能となる。従って、加飾層の形成箇所が制限されることによって用途が限定されることがない扱い易い加飾成形体である。但し、成形体の裏面や内部に加飾層を設ける場合は、成形体を通じて加飾層が視認される必要があるため、透明性の高い成形体を用いる必要がある。成形体の裏面又は内部に加飾層を設けた場合には、第一金属層が成形体の表面に表出することがなく、第一金属層を保護する層を特に設けなくとも良い点で好ましい。また、成形体の表面に加飾層を設けた場合には、加飾層を通じて反射した光を成形体を通さずに直接視認することができるため、像がぼやけたりすることなく明瞭に視認できる点や、加飾に関して成形体の材質や色などの影響を受けず、種々の成形体を用いることができる点で好ましい。
【００１４】
成形体の具体例として、成形体を押釦スイッチ用のキートップとすることができる。成形体を押釦スイッチ用キートップに用いれば、鏡面感のある光沢金属調としながら立体的な像を生じる押釦スイッチ用キートップを得ることができる。
【００１５】
そしてさらに、文字や記号等を表す透明な表示部及び文字や記号等を抜き文字状に表し表示部とは色彩が異なる透明な抜き文字表示部が、第二金属層よりも視認される側にさらに形成されている加飾成形体とすることができる。
【００１６】
文字や記号等を表す透明な表示部及び文字や記号等を抜き文字状に表し表示部とは色彩が異なる透明な抜き文字表示部が、第二金属層よりも視認される側にさらに形成されているため、色彩が異なる表示部と抜き文字表示部とを通る光が第一金属層と第二金属層との間で反射を繰り返す一方、その一部は第一金属層を透過して外部に逃げるため、表示部形状の像が複数連なるように視認できる加飾成形体となる。また、表示部や抜き文字表示部の層厚を厚くすることができるため、明瞭な文字や記号等を表示することができる。ここで「透明」には無色透明の他、有色透明をも含む意であり、「色彩が異なる」とは、色相、明度、彩度の何れか一つが異なる場合を含む意である。
【発明の効果】
【００１７】
本発明の加飾成形体によれば、鏡面感のある光沢金属調を基調としながら立体的な像を視認させる全く新しい視認性をもつ加飾成形体であり、バラエティーに富んだデザインに対する要求の高いパーソナルユース向けの材料として、またその材料を用いた完成品として特に好適に用いることができる。
【発明を実施するための最良の形態】
【００１８】
本発明の加飾成形体の実施形態として、携帯電話機１において用いられるキートップについて、図面を参照して説明する。なお、添付の図において、構成材の厚さや長さは、説明の便宜や見易さのため実際の縮尺には基づかない場合がある。また、従来技術と共通する構成、各実施形態で共通する構成（層厚を含む）や製造方法については、重複説明を省略する。
【００１９】
第１実施形態；  図１には、携帯電話機１で用いられる押釦スイッチ用カバー部材としてのキーシート１１の外観平面図を、図２には、図１におけるＳＡ−ＳＡ線断面図を、そして図３には、キーシート１１の一部拡大平面図をそれぞれ示す。キーシート１１は、主に樹脂でなり文字や記号などを表示して指などによる押圧を受けるキートップ１２と、シリコーンゴムなどのゴム状弾性体でなるベースシート１３とが接着剤１３ａで固着した構成を有するものである。このキーシート１１は、キートップ１２を指で押圧すると、ベースシート１３が弾性変形し、その押圧操作方向に配置する金属皿ばね（図示せず）を押圧して、プリント基板上の固定接点（図示せず）が導通するようになっている。
【００２０】
キーシート１１の一部を構成する本発明のキートップ１２の構成をさらに詳述すると、透明な硬質樹脂成形体でなるキートップ本体１４の表面１４ａには第一金属層１５が、キートップ本体１４の裏面１４ｂには第二金属層１６が、それぞれ設けられている。そして、第一金属層１５、キートップ本体１４、第二金属層１６からなる積層構造にて加飾層１７が形成されている。第一金属層１５は、キートップ本体１４の表面１４ａを覆う層ではあるが、第一金属層１５が形成されていない部位が文字や記号を表す表示部１８となっている。また、第一金属層１５のさらに上層には透明な樹脂でなる保護層１９が形成されていて、第一金属層１５を押圧操作による摩耗から保護している。
【００２１】
第一金属層１５は、可視光線反射率が５５％〜９０％、好ましくは７０％〜８０％である金属層であって、真空蒸着、イオンプレーティング、スパッタリング等の乾式メッキによって形成される金属層であることが好ましい。乾式メッキによって形成される金属層であることが好ましい理由は、可視光線反射率が５５％〜９０％、好ましくは７０％〜８０％である金属層を形成するには、その層厚を極めて薄く形成する必要があるからである。第一金属層１５に含まれる金属種は、例えば、金、銀、銅、錫、鉄、アルミニウム、クロム、チタン、マグネシウム、タングステン、コバルト、亜鉛、マンガン、ニッケル等とすることができる。アルミニウムを用いると低コスト化を図れる点で好ましい。第一金属層１５の可視光線反射率を５５％〜９０％、好ましくは７０％〜８０％としたのは、５５％未満であると反射光が少なく鏡面感のある光沢金属調が得られないからであり、９０％を超えると第一金属層１５の透過光が少なく第二金属層１６に映った像を操作者が視認しづらくなるからである。また、７０％〜８０％の範囲では立体的な像が濃く明瞭に発現されるからである。
【００２２】
第二金属層１６は、可視光線反射率が５５％〜１００％、好ましくは８５％以上である金属層であって、真空蒸着、イオンプレーティング、スパッタリング等の乾式メッキや、無電解または電解メッキ等の湿式メッキ、あるいは金属粉を含むインキや塗料を塗布することにより得られる層である。第二金属層１６に含まれる金属種は、第一金属層１５に含まれることとした金属と同じ金属とすることができる。第二金属層１６の可視光線反射率を５５％〜１００％、好ましくは８０％以上としたのは、５５％未満であると反射光が少なく像を映すことができなくなるからであり、８０％以上の範囲では像が濃く明瞭に発現されるからである。
【００２３】
キートップ本体１４は、ポリカーボネート、アクリル等の熱可塑性樹脂や、エポキシ、シリコーン等の熱硬化性樹脂などの硬質樹脂、あるいは、場合によってシリコーンゴムや熱可塑性エラストマーなどのゴム状弾性体を材料とし、射出成形や注型等の方法によって得られる成形体である。但し、これらの樹脂等は、第一金属層１５と第二金属層１６と合わせて加飾層１７を構成するため、可視光線を効率よく透過する透明性の高い材料である必要があり、完全に透明な材質からなることが好ましいが、少なくとも可視光線透過率で７０％以上の透明性を有していることが必要である。本実施形態におけるキートップ本体１４は、第一金属層１５と第二金属層１６との間に挟まれて透明層となり立体感のある像を形成するため、第一金属層１５と第二金属層１６との間隔が０．２ｍｍ〜５０ｍｍが好ましく、より好ましくは、０．５ｍｍ〜２．５ｍｍである。第一金属層１５と第二金属層１６との間の透明層の間隔は、０．２ｍｍ以上あれば良いが、間隔が広がるほど像が見えるためには強い光が必要であるし、キートップ１２などとして用いられる場合を考慮すると５０ｍｍ以下が好ましい。また、この間隔が０．２ｍｍ未満では立体的な像が視認できないからであり、０．５ｍｍ〜２．５ｍｍの範囲では、立体的な複数個の像がより明瞭に視認できるからである。
【００２４】
加飾層１７は、予め所定の形状に形成したキートップ本体１４の表面１４ａに乾式めっき等で第一金属層１５を形成する一方、キートップ本体１４の裏面１４ｂに乾式めっき等で第二金属層１６を形成することにより得ることができる。また、別法としては、第一金属層１５や第二金属層１６を樹脂で挟んだ転写層を有する転写紙を用いて、キートップ本体１４の表面１４ａや裏面１４ｂに転写することで得ることもできる。別法のように、転写紙を用いる場合は、転写紙に第一金属層１５や第二金属層１６となる金属層を保護する層や接着層を有しているため、キートップ本体１４への転写後は、キートップ本体１４とこれらの透明な層を含めた形成された透明層の層厚が、第一金属層１５と第二金属層１６との間で０．２ｍｍ〜５０ｍｍとすることが好ましい。
【００２５】
文字や記号などを表出する表示部１８は、キートップ本体１４の表面１４ａの一部に第一金属層１５を設けないことにより形成する。すなわち、キートップ本体１４の表面１４ａに設けられた第一金属層１５の一部をレーザー加工やエッチング加工により除去しても良いし、予め表示部１８となる部分をマスキングしておいてその部分を除き第一金属層１５を設けるようにしても良い。このようにして、第一金属層１５が設けられた部位が文字や記号等を抜き文字状に表す抜き文字表示部１８ａとなり、第一金属層１５が設けられていない部位が文字や記号等を表す表示部１８となる。図３で示したキートップ１２では“ロ”字状に表示部１８が形成され、“ロ”字の周囲を形成する抜き文字表示部１８ａに第一金属層１５が設けられている。
【００２６】
保護層１９は、キートップ１２の第一金属層１５の上層に透明な樹脂を塗布して形成する。保護層１９は、キートップ本体１４の表面１４ａに形成された第一金属層１５や表示部１８を保護するものである。
【００２７】
以上のような構成のキートップ１２を、ベースシート１３と接着剤１３ａで固着すればキーシート１１を得ることができる。そして、例えば図３で示す“ロ”字状の表示部１８を形成したキートップ１２であれば、キートップ１２全体が鏡面のような光沢があり金属色を基調としながら、複数の“ロ”字形状が重なった像を視認することができる。
【００２８】
第２実施形態；  第２実施形態におけるキーシート２１を図４、図５に示す。第１実施形態でのキーシート１１では、第一金属層１５が設けられず加飾層１７を形成しない部位が表示部１８となったが、本実施形態ではその反対に第一金属層１５が設けられて加飾層１７を形成した部位が表示部２８となっている。キーシート２１に用いる材料は第一実施形態で示したキーシート１１と同様の材料を用いることができ、また、その製造もキーシート１１と同様に行うことができる。
【００２９】
すなわち、本実施形態のキーシート２１に用いられるキートップ２２では、例えば図５で示すように、第一金属層１５を“○”字状に設けて表示部２８を形成し、第一金属層１５を設けずに抜き文字表示部２８ａを形成している。キートップ２２では、その全体が鏡面光沢を有し金属色を基調としながら、複数の“○”字形状が重なった像を視認することができる。
【００３０】
第３実施形態；  第３実施形態に示すキーシート３１に用いられるキートップ３２は、図６で示すように、第一金属層１５と第二金属層１６との間に、透明な着色樹脂層３３と、無色透明であるか又は着色樹脂層３３とは色相の異なる透明な充てん層３４とを設けている。そして、キートップ本体１４と充てん層３４、透明な着色樹脂層３３とで透明層３５を形成し、この透明層３５と、第一金属層１５および第二金属層１６とで加飾層３７を形成している。このキーシート３１の製造は、透明なキートップ本体１４の表面１４ａに透明着色インキで抜き文字表示部３８ａとなる透明着色樹脂層３３を塗布形成し、その上に充てん層３４を塗布形成する。そして、表面が平滑となった充てん層３４の全面に第一金属層１５を設け、最後に透明な樹脂でなる保護層１９を塗布形成する。一方、キートップ本体１４の裏面１４ｂへは第二金属層１６を形成しておく。キーシート３１に用いる材料は第一実施形態で示したキーシート１１と同様の材料を用いることができる。
【００３１】
キーシート３１では、上述のキーシート１１，２１と異なり、充てん層３４の表面全体に第一金属層１５が形成されており、第一金属層１５が表示部３８または抜き文字表示部３８ａを形成しない一方、着色樹脂層３３と充てん層３４とで表示部３８と抜き文字表示部３８ａとを形成している。そのため、表示部３８となる部分の層厚を厚くすることができる。従って、表示部３８と抜き文字表示部３８ａとの境界が明確になり、明瞭な文字や記号等を表示することができる。
【００３２】
このキーシート３１によれば、キートップ３２全体が鏡面光沢があり透明着色樹脂層３３で着色された金属調の色調を基調としながら、複数の表示部３８形状が重なった像を視認することができる。
【００３３】
第４実施形態；  第４実施形態で示すキーシート４１で用いられるキートップ４２は、図７で示すように、これまでの実施形態と異なり、キートップ４２に形成された加飾層４７の上層に透明な着色樹脂層４３と透明な保護層１９とが設けられている。本実施形態のキーシート４１における各層の形成や、各層に用いられる材料は、他の実施形態で示した方法や材料を用いることができる。また、キーシート４１でも複数の立体的に見える像を視認することができる。
【００３４】
第５実施形態；  第５実施形態で示すキーシート５１で用いられるキートップ５２は、図８で示すように、これまでの実施形態で示したキーシート１１，２１，３１，４１と異なり、キートップ本体１４が加飾層５７の構成要素とならない点で異なっている。すなわち、キートップ本体１４の表面１４ａに、第一金属層１５、透明層５５、第二金属層１６が積層してなる加飾層５７が設けられている。そして、加飾層５７の上層に抜き文字表示部５８ａを形成する透明な着色樹脂層５３と、キートップ５２の表面を保護する透明な保護層１９が設けられている。
【００３５】
透明層５５には、キートップ本体１４に用いた材料を含め、エステル系、ウレタン系、塩ビ酢ビ系、アクリル系、カーボネート系、オレフィン系、シリコーン系等の各種硬質樹脂を用いることができる。また、本実施形態のキーシート５１における各層の形成や、各層に用いられる材料は、他の実施形態で示した方法や材料を用いることができる。
【００３６】
キートップ５２では、キートップ本体１４とは別に加飾層５７を設けるため、加飾層５７をキートップ本体１４とは別途準備しておき、キートップ本体１４と加飾層５７を固着する方法を用いることができる。この方法によれば、表示部５８や抜き文字表示部５８ａの形成を樹脂インキを用いた印刷等の方法で行えるため、表示部５８の形成が容易である。
【００３７】
第５実施形態の変更例として、加飾層５７をキートップ本体１４の表面１４ａに設けるのではなく、キートップ本体１４の裏面１４ｂに設けることもできる。但し、キートップ本体１４の裏面１４ｂに設ける場合は、表面１４ａに設ける場合と異なり、キートップ本体１４を透過して加飾層５７を視認するため、透明性が高い材料を用いることが要求される。
【００３８】
その他の実施形態；  キーシート１１，２１，３１，４１，５１における第二金属層１６の可視光線反射率を１００％より低くし、キートップ１２，２２，３２，４２，５２を光が透過するものとすれば、ＬＥＤなどの内部光源によってキートップ１２，２２，３２，４２，５２が照光するいわゆる照光式のキーシート１１，２１，３１，４１，５１とすることができる。
【００３９】
上記各実施形態では、加飾成形体としてキーシート１１，２１，３１，４１，５１に用いるキートップ１２，２２，３２，４２，５２について説明したが、キートップ１２，２２，３２，４２，５２以外の例として、携帯電話機１、携帯情報端末機、ＡＶ機器、自動車用機器などの液晶画面等を保護するパネルカバーに対して本発明の加飾成形体を適用することができる。透明な成形体であるパネルカバーの縁取り部分に加飾層１７，２７，３７，４７，５７を設けることで、機能的な液晶画面の隅にデザイン性に優れた装飾が付された個性的な製品とすることができる。
【００４０】
このように、本発明はキートップ１２，２２，３２，４２，５２やパネルカバーに適用されるが、それ以外にも電子機器の外枠となる樹脂製の筐体など、樹脂やガラス、その他の材料からなり機器等の外部に表れデザインの対象となる種々の成形体に適用することができるものである。
【００４１】
以下に実施例、比較例に基づいて本発明をさらに詳しく説明する。
【００４２】
第１実施形態で示したキートップ(12)と比較して保護層(19)を設けない点が異なるキートップとなる試料を製造した。この際、第一金属層(15)、透明層（キートップ本体）(14)、第二金属層(16)の厚さや、可視光線反射率の値を変えて、いくつかの異なる試料を製造した。すなわち、第一金属層(15)の可視光線反射率を、５０％、５５％、６５％、７５％、８５％、９０％、透明層(15)の層厚を０．１ｍｍ、０．２ｍｍ、０．５ｍｍ、２．５ｍｍ、１０ｍｍ、５０ｍｍ、そして、第二金属層(16)の可視光線反射率を５０％、５５％、６５％、７５％、８５％、９５％、１００％のそれぞれ何れかの値となる試料を製造した。これらの各試料の条件の組合せ、およびその試料から視認できる像の状況を下記の表１〜表６に示した。このうち、表１〜表３、表５、表６に示した視認できる像の数、像の明瞭さは、キートップ(12)表面の水平面に対して斜め約３０°の角度で試料から３０ｃｍほど離して目視した場合の結果である。また、表４に示した視認できる像の数は、キートップ(12)表面の水平面に対して斜め約６０°の角度で試料から３０ｃｍほど離して目視した場合の結果である。
【００４３】
【表１】
2005259499.tif 000003
【００４４】
【表２】
2005259499.tif 000004
【００４５】
【表３】
2005259499.tif 000005
【００４６】
【表４】
2005259499.tif 000006
【００４７】
【表５】
2005259499.tif 000007
【００４８】
【表６】
2005259499.tif 000008
【００４９】
実施例、比較例となる上記各試料は、まず、所定の層厚の透明なポリカ−ボネート樹脂でなる樹脂成形体(14)の片面(14a)に、“ロ”字状のマスキング印刷をした後、真空蒸着法にてアルミニウム蒸着を行い、“ロ”字状の抜き文字表示部(18a)となる第一金属層(15)を形成した。次に、この樹脂成形体(14)のもう一方の表面(14b)全体に真空蒸着法にてアルミニウムでなる第二金属層(16)を形成した。
【００５０】
なお、可視光線反射率は、紫外可視分光光度計（株式会社島津製作所製「ＵＶ−１６００」）を用いて測定した可視光線透過率に基づいて以下の式から算出したものである（可視光線吸収率は無視する）。
【００５１】
可視光線反射率（％）＝１００−可視光線透過率（％）
【００５２】
表１〜表６で示したように、第一金属層と第二金属層の可視光線反射率および透明層の層厚を限定することにより複数の像が視認可能な本発明のキートップを得ることができる。そして、キートップを見る角度や、第一金属層、第二金属層、透明層の層厚によって視認できる像の数が変化することも分かる。
【図面の簡単な説明】
【００５３】
【図１】本発明の第１実施形態による押釦スイッチ用のキートップを有するキーシートの平面図。
【図２】図１のＳＡ−ＳＡ線断面図。
【図３】図１の部分拡大図。
【図４】図２相当の本発明の第２実施形態による押釦スイッチ用のキートップを有するキーシートの断面図。
【図５】図３相当の本発明の第２実施形態による押釦スイッチ用のキートップの部分拡大図。
【図６】図２相当の本発明の第３実施形態による押釦スイッチ用のキートップの断面図。
【図７】図２相当の本発明の第４実施形態による押釦スイッチ用のキートップの断面図。
【図８】図２相当の本発明の第５実施形態による押釦スイッチ用のキートップの断面図。
【図９】携帯電話機の外観平面図。
【符号の説明】
【００５４】
１    携帯電話機
１ａ    筐体
２，１２，２２，３２，４２，５２    押釦スイッチ用キートップ（キートップ）
１３    キーシート
１４    キートップ本体
１４ａ    表面
１４ｂ    裏面
１５    第一金属層
１６    第二金属層
１７，２７，３７，４７，５７    加飾層
１８，２８，３８，４８，５８    表示部
１８ａ，２８ａ，３８ａ，４８ａ，５８ａ      抜き文字表示部
１９    保護層
３３，４３，５３    着色樹脂層
３４    充てん層
３５，５５    透明層
【図１】
2005259499.tif 000009
【図２】
2005259499.tif 000010
【図３】
2005259499.tif 000011
【図４】
2005259499.tif 000012
【図５】
2005259499.tif 000013
【図６】
2005259499.tif 000014
【図７】
2005259499.tif 000015
【図８】
2005259499.tif 000016
【図９】
2005259499.tif 000017